(57)【要約】【課題】下剤を服用しても高齢者、障害者は２０〜６０分も便秘の排泄に時間がかかり、疲労と苦痛をともなう、これを近くで見守ってもらわないと、便座や椅子から転げ落ちて転倒骨折となるため、利用者自身で排泄できるようにしたい。【解決手段】【請求項１】床上に設けられた便器上面に覆う形で設けられたテーブルには、少なくても左右どちらかに設置したレールに案内され、前後に移動可能とされ、該テーブル上面手前には、便器使用者の体を納め易い切り欠きを備えると共に、上面の前方には使用者の腕を伸ばし、前記レールの側面を狭持し、移動固定を操作できる握り式レバー用開口部が前後に二つ設けられてあることを特徴とする便器用可動テーブル。【選択図】図３
2012143530.tif 000002
【特許請求の範囲】
【請求項１】
床上に設けられた便器上面に覆う形で設けられたテーブルには、少なくても左右どちらかに設置したレールに案内され、前後に移動可能とされ、該テーブル上面手前には、便器使用者の体を納め易い切り欠きを備えると共に、上面の前方には使用者の腕を伸ばし、前記レールの側面を狭持し、移動固定を操作できる握り式レバー用開口部が前後に二つ設けられてあることを特徴とする便器用可動テーブル。
【発明の詳細な説明】
【技術分野】
【０００１】  本発明は、座面からの立ち上がりや便秘による前傾姿勢でも移動、固定に好適とする構造をもつ便器用可動テーブルに関するものである。
【背景技術】
【０００２】  従来から若い女性の便秘については知られていますが、男性高齢者や障害者においても薬物療法によって下剤や下痢の繰返しにより便秘が増え、排便に２０〜６０分も時間がかかり尻を上げた姿勢や前傾姿勢を維持しようとすると、目がくらみ、冷や汗をかいたり、血圧が上がり体に障害のある人はそのままトイレで倒れてしまう心配も起こる、さらに排泄後に疲れてしまい、再び立ち上がれるように体力を残せることは独居利用者には必要な事であり、関連技術に次の文献もある。特許文献１に掲載されている室内便器収納構造および居室については、居室や居間に置かれた水栓便器を隠蔽状に収納して、レールとストッパーの付いた家具になっている。便器を使用するときには、壁面から覆い家具を便器が使用できるまでの空間を確保できるように覆い家具に付いた取手を使用して移動する。またこの取手は便器使用時の前方手すりとしても使用ができ、手すりと便器までの距離は、取手兼用手すりとして使用することができる手すりが備わっている。さらに特許文献２では、車椅子が便所内で向きを変えられる広さを必要とされ、先に介護者が壁面に対して丁番によって連結され立掛けられているテーブルボードを便器の前に倒し、利用者を介助しつつテーブル手すりボードを利用者に伝い歩きしてもらいながら便座に座ってもらい、排泄後は再び利用者を介助しながらテーブル手すりボードと便座の間を離れた後に、介護者によりテーブルボードを壁面に立掛けて元に戻す。また非特許文献では、小中学生の生徒机の天板の前方に左右それぞれの取手型グリップとなる楕円形の穴を開け、さらに利用者の腹部近くには、転倒防止用に赤ちゃんの歩行器のような半円状に切り欠きを入れた机形の肘掛を兼ねる手すりとしたもので、便座からの転倒を防止して便秘専用としている。また机形テーブルは介護者が持って利用者の前方手すり用に付、利用者が先に便所に入りの水栓トイレの便座に座った後、介護者が机形のテーブル手すりを利用者の腹部前の半円状に切り欠きを合わせ置き、便器からテーブル手すりまでの距離を利用者ごとに調整している。
【先行技術文献】
【０００４】
【特許文献１】  特許第３８８４４６６号  公報
【特許文献２】  特許第３４２６５６７号  公報
【非特許文献】
【０００５】
【非特許文献１】  Ｕ．ｙｏｕテーブル
【発明の概要】
【発明が解決しようとする課題】
【０００６】    以上に述べた従来のまま続けた場合には、病気を起したり、場合によっては死にも継がる原因ともなる。また従来の特許文献１では壁面又は家具の壁面側のどちら側かのクランプレバーの操作によりキャスターの回転を止めることで手すりと便器までの距離を固定することが記載されている、しかし前方手すりに上半身の体重をしっかり支えるためには、手と肘と両方を同時に支えられないと長時間の前傾姿勢では、左右どちらかに上半身が傾き、高齢者や障害者では転倒してしまう、ストッパーについても、手と肘と両方を同時に支えつつ左右どちらかの手でも、両手でも、片肘でもレバーによりストッパーを解除操作ができる方がより安全であって、利用者の障害範囲を広げて使用することができる。特許文献２では、便座とテーブル手すりボードの距離とボードの奥行きがきまっていて、両肘をボードの上に置き、両手はテーブルボードの上面の木口に手を掛け、前傾姿勢で、便座とテーブル手すりボードの距離が体の大きさと合う人が使い易いタイプとなっている。また排泄中は介護者が便座からの転倒骨折の見守りを必要とし非特許では、このテーブル手すりは便秘に対し、前傾姿勢をテーブル手すり上の両腕部に身体を預けた姿勢で２０分〜一時間姿勢を保持している間に楕円形の穴から手が抜け体の一部が触れた時、小中学校の机のように前方にこの手すりは転倒してしまわないように排泄が終わるまで脇で見守る必要があり、排泄が終わった後には、利用者の前のテーブル手すりを介護者は移動することで、テーブル手すりと便座の間から利用者は解放され、便所から出られることになる。本発明では上記問題を利用者自身で体力消耗せず距離の微調整や操作に片手が麻痺障害であっても移動固定を操作できる握り式レバー用開口部が前後に二つ設けられてあることで、操作を可能としたことを目的とするものである。
【課題を解決するための手段】
【０００７】  本発明は上記課題を解決するために、床上に設けられた便器上面に覆う形で設けられたテーブルには、少なくても左右どちらかに設置したレールに案内され、前後に移動可能とされ、該テーブル上面手前には、便器使用者の体を納め易い切り欠きを備えると共に、上面の前方には使用者の腕を伸ばし、前記レールの側面を狭持し、移動固定を操作できる握り式レバー用開口部が前後に二つ設けられてあることを特徴とする便器用可動テーブル。
【発明の効果】
【０００８】    本発明は上記構成から成るので以下に示す効果が期待できる。
１、レール２０を挟み動きを止めるストッパー解除レバー２は、左右どちらかの手でも、両手でも、前腕肘でも、利用者自身で中央にあるレバー２によりテーブル手すり１と便座までの距離を思い通りに移動、修正操作を可能にできる。
２、レール２０の上を前後に移動の操作がし易いよう握り式レバー２の開口部６と４が設けられ、間に１０を隔てることは視力の弱い人や片手で握り式レバー２を挟み込むのにも、開口部４，５により指がレバーを掴み易く、片手であってもブレーキ解除レバー２と一方の片手は７または８のグリップを握りながらレバーを倒す動作中でも、同様に体を安定できる。
３、排便中の利用者の脇で２０〜６０分の間、ヘルパーや家族の人が見守らなくても、利用者自身でブレーキ解除レバー２を安全に操作できることから、便座に座っている利用者がバランス能力の低下があっても床に転倒骨折することがなくなる。
４、小中学校の机の天板は、椅子から立ち上がろうとして体やお腹の一部に触れただけで前方に机の天板が重いため転倒し易いが、前傾姿勢用テーブル１はレール２０が直交しているため、レール２０上で前後にスライドしている途中であっても前方に転倒することはない。
５、テーブル上面手前には、便器使用者の体を納め易い切り欠き９を備えていて踵を２０°持ち上げると便座に座っても股がテーブル板の裏側に当たりづらく、前傾姿勢でも腹や胸が直接テーブル板上面に当たりづらいため、直腸から肛門に掛け内臓が、直角でなく、緩やかな直線状６３になり排泄物が排泄し易く便秘を解消し易い。
【図面の簡単な説明】
【０００９】
【図１】前方傾斜姿勢用テーブル１は便秘用および立ち上り用の共通寸法であっても、レールにストッパー解除レバー２を使用して便器との間の距離を移動調整ができる。
【図２】前方傾斜姿勢用テーブル１と便器便座間の距離を体型に合わせて利用者自身で固定ができ、腹部高さの曲面加工９による前方傾斜姿勢をとっても、胸が天板に触れず、便座からの左右側面への転倒骨折予防形状を示す。
【図３】前方傾斜姿勢用テーブル１での便秘解消姿勢は踵を２０°上げ、直腸から肛門に向かって内臓が矢印方向に直線に近いゆるやかな排泄になる前傾姿勢で行うと排泄し易い。
【図４】利用者が便座から立ち上がっての便秘解消姿勢は、踵は持ち上げていないが、直腸から肛門に向かって内臓が矢印方向に直線に近いゆるやかな排泄になる前傾姿勢を行うと排泄し易く、左右の前腕部と開口穴取手によるレバー解除姿勢での安定を示している。
【図５】便秘解消用前方傾斜姿勢用テーブル上の前方には使用者の腕を伸ばし左右の穴取手を掴んでの姿勢保持ができると中央の移動固定を操作できる握り式レバー用開口部が前後に二つ設けられ、矢印方向に倒す事でストッパー解除が左右、どちらの手や腕でもできる仕様を示す。
【図６】便秘解消用前方傾斜姿勢用テーブルのレールとレバー解除による構造を示す。
【図７】図７〜図８には本発明のストッパー解除握りレバーの他の１形態を列示しており、障害の範囲を広げたバー型仕様取手による解除のし易さを示す。
【図８】便秘解消用前方傾斜姿勢用テーブル上より障害の使用範囲を広げたバー型仕様解除による構造を示す。
【発明を実施するための形態】
【００１０】    以下、本発明の実施の形態を図面で参照して説明する。
図１に示すように床上に設けられたテーブル１は、左右どちらかにレール２０とレール２０の反対側にはキャスター４７，４８に案内され便器６０の上まで覆う形で移動することが可能で、テーブル１と便器の間は人が出入りできるスペースも確保できるレール２０の長さをもっている。図２は便器６０の便座に事務椅子に座るように直角に座った利用者６１に副ったテーブル１と便器６０との距離を選択できる図である。図３、図４は便秘による高齢者６１が２０〜６０分もの排泄時間に苦痛と疲労に要し、便座に座って踵を２０°上げ６４テーブル２に前傾姿勢になることで矢印６３のように直腸と肛門がゆるやかな曲線で、内臓にある排泄物が排泄し易く、図４の便座より尻を上げた状態であっても、同様に直腸と肛門がゆるやかな曲線であれば、踵を上げなくても、排泄し易い図である。図５は、テーブル１天板の拡大図で前方の左右に天板を貫通する取手型掴み穴があり、利用者の肩幅ほどの間隔で握ることができ、テーブル１の手前には前傾斜姿勢をとっても、胸や腹が天板に触れづらいほどの曲面加工の切込みを持ち両手を伸ばすとテーブル１前方のほぼ中央に、レール２０を挟んで普段はテーブル１を固定させていて、左右ブレーキパット２１、２２のパッドのストッパー解除をするレバー２で広げる操作でテーブル１はレール上を移動ができる。レール２０の上を前後に移動の操作がし易いよう握り式レバー２の開口部６と４が設けられ、間に１０を隔てることは力の弱い人や、ストッパー解除レバーを片麻痺側の手や、腕での操作の場合にもストッパー解除レバーの倒すレベルを目視できない人でも判断でき、易く矢印方向３に倒し易い。図６は倒されたレバー２は回転軸を受け３７からストッパー解除バー２とワイヤーを引くプレートの間の回転軸３６軌跡矢印方向４２によりワイヤー長さ調整付のワイヤーを引くプレート３５は引きバネ３３、引きバネ固定Ｌ金具３４により回転軌跡矢印３２をへてワイヤー２７はワイヤーチューブ２８の前後をＬ金具３０．２９で固定しワイヤー２７のみが二股に分かれ２６連動して動きセンター軸３８を中心に左右Ｌアーム金物２４，２５がレール２０の側面を狭持している引きバネ２３と左右ブレーキパット２１．２２を開きレール２０に案内され、前後に移動可能にする。レール２０にはレール溝内を車の代わりの凸型プレートがテーブル１の奥行き方向の手前、先方５１．５２に設置され、レール内上ではストッパー解除レバー２を倒している間はスムーズにテーブル１を前後に移動できる。レールの前後にはキャップ５３，５４によりレールから凸型プレートの外れ防止とカット面での安全策として設置されている。図７はストッパー解除レバーをストッパー解除バーに変えたタイプで障害がより重い人や体の一部と繋いでの操作もでき、テーブル１の天板上に使用しないときは矢印方向の左右１４，１５に倒すことができ、テーブル１の表面に飛び出さない仕様になっている。図８はストッパー解除バーの軸受け３７をコンパクトにすることで左右の膝をテーブル１内で大きく動かしてもストッパー解除バーの構造を変えたもので、ストッパー解除バーを倒したときにほぼテーブル１の厚さほどに薄くした操作バーを想定した図です。またレバー操作によりワ���ヤーを引き挟んだレールをバネ２３と左右ブレーキパット２１．２２を開く方法はディスク型ブレーキをロック状態から引きバネによってオープン状態にしたもので、水平でない床に操作なく動きまわるものや、決められた位置のみ固定ができるものとは異なり、身長や体格や体の障害を問わないストッパーレバーの操作性を考慮したテーブル１加工の兼ね合いです。
【実施例１】
【００１１】  介護、療養施設は利用者の介護度による介護時間の範囲内で終わらせるために許容範囲を超えて、便秘薬を利用者に服用させ、介護度により決められた時間に排泄できるようにしている、結果は下痢や下剤による繰返しからオムツの寝たきりの生活となり、退職後の施設入居介護者は看とりまで続いてしまう。この立上り、便秘テーブル手すり１を大部屋の隅のカーテンで仕切られた廊下から個室に入る途中のトイレをカーテンで仕切り、それぞれの人数分だけの便器６０とテーブル手すり１を設置することで、それぞれの利用者毎にマイペースを保つことができ、許容範囲内での薬の服用と利用者各自のトイレでの排泄行為により利用者の尊厳が保たれ、痴呆にもなりづらい。
【実施例２】
【００１２】居宅生活での立上り、便秘テーブル手すりを使用する利用者は長い排泄時間がかさみ苦痛や疲労状態になっていてもルパーや看護師が時間に合わせて居宅へ来てもらえ易いため、下痢や下剤による繰返しも少なく便秘や、痴呆から少しでも長く居宅での生活を続けられ、カーテンで仕切られた部屋の隅のタンクレス水洗トイレやベッドの顔の近くのポータブルトイレともベッドとポータブルトイレを転倒しないため一緒に連結する必要がない。また便器以外に椅子との組み合わせで、転倒防止効果もあるため、ＴＶや書籍、食事なども独居老人でも安心して生活家具の一部として使えることは、世界一の高齢国である日本人自身が開発しないと、どこの国であっても製品化できないだけでなく、後には世界へ販売できる家具製品になっていくと思います。【００１３】
【産業上の利用可能性】
【００１４】  女性によっては一週間排泄がなかったと言う人も聞くが、男性高齢者や障害者は４種類以上の薬を服用すると必ず下剤がふくまれ、下痢と下剤の繰り返しは後に便秘となってしまう。長時間の便秘の排泄には便座に座ったり、前傾姿勢になったりと姿勢を変えるだけでなく苦痛と疲労で心底疲れ果ててしまう、そのためには高齢者でも姿勢を変えるのと同時に上半身の体重を支える前方の手すりまでの距離をその都度姿勢に併せて簡単に変える必要がある。前傾姿勢用テーブル手すり１と直行するレール２０を固定するストッパーを解除する操作を高齢者や障害者でもテーブル手すりの上で行えるように、両手両肘を同時にも使える解除レバー操作２が、レバーを倒すことだけで利用者自身で行えることは、前傾姿勢用テーブル手すり１と便座までの距離の微調整や便器６０使用のための出入りができ、介助者が見守らなくてすむ、システムとして、長時間の排泄が安全に行えると施設、居宅に関係なく利用ができる。
【符号の説明】
【００１５】１、  前方傾斜姿勢用テーブル。
２、  レールをストッパー解除レバー。
３、  レールをストッパー解除レバー軌跡矢印方向。
４、  レバー用後部開口穴。
５、  レバー用前部開口穴。
６、  ストッパー解除レバーの解除転倒穴。
７、  姿勢保持用、左手用の取手型の掴み穴。
８、  姿勢保持用、右手用の取手型の掴み穴。
９、  天板上で前方傾斜姿勢をとっても、胸や腹が天板に触れない曲面加工。
１０、握り式レバー用開口部が前後に二つ持ち、間部分
１１、バー型ストッパー解除で左右どちらかに倒すと折れて、テーブル天板より飛び出さない機構。
１２、ストッパー解除握りレバーの他の１形態で、バー型ストッパー解除バー。
１３、バー型ストッパー解除バー軌跡矢印方向。
１４、バー型ストッパーを左穴取手方向に倒す軌跡矢印方向を示す
１５、バー型ストッパーを右穴取手方向に倒す軌跡矢印方向を示す。
２０、レール。
２１、左ブレーキパット。
２２、右ブレーキパット。
２３、引きバネ。
２４、左のＬ型アーム金物。
２５、右のＬ型アーム金物。
２６、左右のＬ型アーム金物のコーナー部からのワイヤー
２７、左右のＬ型アーム金物のコーナー部からのワイヤーを一本にまとめたワイヤー
２８、ワイヤーチューブ
２９、ワイヤーの位置の固定とワイヤーとワイヤーチューブ摩擦による固定の入口Ｌ金具。
３０、ワイヤーの位置の固定とワイヤーとワイヤーチューブ摩擦による固定の出口Ｌ金具。
３２、バー型ストッパー解除方向へ倒すと反対側にワイヤーが引かれる軌跡矢印方向を示す。
３３、引きバネ
３４、引きバネ固定Ｌ金具
３５、ワイヤー長さ調整付のワイヤーを引くプレート。
３６、バー型ストッパー解除バーとワイヤーを引くプレートの間の回転軸軌跡矢印方向。
３７、回転軸を受けるブラケット。
４２、レバー型ストッパー解除レバーとワイヤーを引くプレートの間の回転軸軌跡矢印方向。
４７、レール反対側妻板手前車。
４８、レール反対側妻板前方車。
５１、レール側の車の代わりの凸型プレート手前。
５２、レール側の車の代わりの凸型プレート前方。
５３、レールカッター切り口安全手前カバー。
５４、レールカッター切り口安全前方カバー。
６０、タンク内臓水洗便器及びポータブル便器。
６１、利用者。
６２、直腸と肛門がほぼ直角になった状態の軌跡矢印方向。
６３、直腸と肛門がほぼ直線上になった状態の軌跡矢印方向。
６４、踵を２０°上げた状態、
【図１】
2012143530.tif 000003
【図２】
2012143530.tif 000004
【図３】
2012143530.tif 000005
【図４】
2012143530.tif 000006
【図５】
2012143530.tif 000007
【図６】
2012143530.tif 000008
【図７】
2012143530.tif 000009
【図８】
2012143530.tif 000010